【手続補正書】
【提出日】平成26年9月22日(2014.9.22)
【手続補正１】
【補正対象書類名】明細書
【補正対象項目名】０００６
【補正方法】変更
【補正の内容】
【０００６】
上記課題を解決するため、本発明の画像処理装置は、
画像を取得する第１の取得手段と、前記第１の取得手段により取得された画像に含まれる特定の個体の情報と登録手段に登録されている当該特定の個体の識別用情報との類似度を取得する第２の取得手段と、前記第２の取得手段により取得された類似度とは異なる時系列に沿った複数の類似度を取得する第３の取得手段と、前記第３の取得手段により取得された複数の類似度の経時的変化を特定する特定手段と、前記特定手段により特定された経時的変化に基づいて、前記第２の取得手段により取得された類似度が、前記複数の類似度よりも相対的に低下したか否かを判定する第１判定手段と、前記第１判定手段により前記類似度が相対的に低下したと判定された場合に、前記登録手段に登録されている前記識別用情報を更新すべき旨を報知する報知手段と、を備えたことを特徴としている。
【手続補正２】
【補正対象書類名】明細書
【補正対象項目名】０００７
【補正方法】変更
【補正の内容】
【０００７】
また、本発明の画像処理方法は、
画像処理装置を用いた画像処理方法であって、画像を取得するステップと、取得された画像に含まれる特定の個体の情報と登録手段に登録されている当該特定の個体の前記識別用情報との類似度を取得するステップと、取得された前記類似度とは異なる時系列に沿った複数の類似度を取得するステップと、取得された前記複数の類似度の経時的変化に基づいて、前記類似度が、前記複数の類似度よりも相対的に低下したか否かを判定するステップと、前記類似度が相対的に低下したと判定された場合に、前記登録手段に登録されている前記識別用情報を更新すべき旨を報知するステップと、を含むことを特徴としている。
【手続補正３】
【補正対象書類名】明細書
【補正対象項目名】０００８
【補正方法】変更
【補正の内容】
【０００８】
また、本発明のプログラムは、
コンピュータを、画像を取得する第１の取得手段、前記第１の取得手段により取得された画像に含まれる特定の個体の情報と登録手段に登録されている当該特定の個体の前記識別用情報との類似度を取得する第２の取得手段、前記２の取得手段により取得された類似度とは異なる時系列に沿った複数の類似度を取得する第３の取得手段、前記第３の取得手段により取得された複数の類似度の経時的変化を特定する特定手段と、前記特定手段により特定された経時的変化に基づいて、前記第２の取得手段により取得された類似度が、前記複数の類似度よりも相対的に低下したか否かを判定する判定手段、前記判定手段により前記類似度が相対的に低下したと判定された場合に、前記登録手段に登録されている前記識別用情報を更新すべき旨を報知する報知手段、として機能させることを特徴としている。
【手続補正４】
【補正対象書類名】特許請求の範囲
【補正対象項目名】全文
【補正方法】変更
【補正の内容】
【特許請求の範囲】
【請求項１】
画像を取得する第１の取得手段と、
前記第１の取得手段により取得された画像に含まれる特定の個体の情報と登録手段に登録されている当該特定の個体の識別用情報との類似度を取得する第２の取得手段と、
前記第２の取得手段により取得された類似度とは異なる時系列に沿った複数の類似度を取得する第３の取得手段と、
前記第３の取得手段により取得された複数の類似度の経時的変化を特定する特定手段と、
前記特定手段により特定された経時的変化に基づいて、前記第２の取得手段により取得された類似度が、前記複数の類似度よりも相対的に低下したか否かを判定する第１判定手段と、
前記第１判定手段により前記類似度が相対的に低下したと判定された場合に、前記登録手段に登録されている前記識別用情報を更新すべき旨を報知する報知手段と、
を備えたことを特徴とする画像処理装置。
【請求項２】
前記特定の個体の情報と前記識別用情報との類似度を算出する算出手段を更に備え、
前記第２の取得手段は、前記算出手段により算出された最新の類似度を取得し、
前記第３の取得手段は、前記最新の類似度よりも以前に前記算出手段により算出された複数の類似度を取得する、
ことを特徴とする請求項１に記載の画像処理装置。
【請求項３】
前記登録手段は、前記特定の個体の識別情報と当該識別情報の登録日時に関する情報とを対応付けて登録することを特徴とする請求項１に記載の画像処理装置。
【請求項４】
前記特定手段は、更に、前記経時的変化として、前記複数の類似度の撮像日時の経過に従った相対的な変化の傾向を特定し、
前記第１判定手段は、更に、前記複数の類似度が相対的に低下する傾向にあるか否かに応じて前記第２の取得手段により取得された類似度が相対的に低下したか否かを判定することを特徴とする請求項３に記載の画像処理装置。
【請求項５】
前記第１判定手段は、更に、
前記複数の類似度のうち、各々の類似度の一つ前の類似度よりも低いか否かに応じて、前記複数の類似度が相対的に低下する傾向にあるか否かを判定することを特徴とする請求項４に記載の画像処理装置。
【請求項６】
前記第１判定手段は、更に、
前記第２の取得手段により取得された類似度が当該類似度に対して前記撮像日時が一つ前の類似度よりも低下し、且つ、当該類似度に対して前記撮像日時が直近の所定数の類似度のうち、特定数の類似度が各々の類似度の一つ前の類似度よりも低下したか否かに応じて、前記複数の類似度が相対的に低下する傾向にあるか否かを判定することを特徴とする請求項４に記載の画像処理装置。
【請求項７】
前記第２の取得手段により取得された類似度が所定の判定値以下であるか否かを判定する第２判定手段を更に備え、
前記第１判定手段は、
前記第２判定手段により前記類似度が所定の判定値以下であると判定された場合に、前記類似度が相対的に低下したか否かを判定することを特徴とする請求項１〜６の何れか一項に記載の画像処理装置。
【請求項８】
前記第２の取得手段により取得された類似度と関連付けられている所定の日時情報に基づいて、当該類似度に係る画像が前記識別用情報の登録日時から所定期間内に撮像された画像であるか否かを判定する第３判定手段を更に備え、
前記第１判定手段は、
前記第３判定手段により前記画像が前記所定期間内に撮像された画像でないと判定された場合に、前記類似度が相対的に低下したか否かを判定することを特徴とする請求項１〜７の何れか一項に記載の画像処理装置。
【請求項９】
前記報知手段は、
前記識別用情報をユーザによる操作部の所定操作に基づいて更新するか、或いは、自動的に更新するかを指定するための所定の指定画面を表示する表示手段を有することを特徴とする請求項１〜８の何れか一項に記載の画像処理装置。
【請求項１０】
前記識別用情報をユーザによる操作部の所定操作に基づいて更新する場合、前記第２の取得手段により取得された複数の類似度と当該複数の類似度の各々に係る画像に含まれる特定の個体の画像とを対応付けて表示手段に表示させる表示制御手段と、
前記表示手段に対応付けて表示されている前記複数の類似度及び特定の個体の画像の中で、ユーザによる操作部の所定操作に基づいて指定された前記特定の個体の画像を基準として、当該特定の個体を識別するための識別用情報を新たに生成する第１生成手段とを更に備え、
前記登録手段は、
前記第１生成手段による前記識別用情報の生成日時を前記登録日時として、当該識別用情報と対応付けて登録することを特徴とする請求項１〜９の何れか一項に記載の画像処理装置。
【請求項１１】
前記識別用情報を自動的に更新する場合、前記第１判定手段により相対的に低下したと判定された前記類似度に係る画像に含まれる特定の個体の画像を基準として、当該特定の個体を識別するための識別用情報を新たに生成する第２生成手段を更に備え、
前記登録手段は、
前記第２生成手段による前記識別用情報の生成日時を前記登録日時として、当該識別用情報と対応付けて登録することを特徴とする請求項１〜１０の何れか一項に記載の画像処理装置。
【請求項１２】
前記第１の取得手段により取得された画像に含まれる個体を検出する検出手段を更に備え、
前記算出手段は、
前記検出手段により前記画像から検出された特定の個体の情報と前記識別用情報との類似度を算出することを特徴とする請求項２に記載の画像処理装置。
【請求項１３】
前記特定の個体は、ヒト及び動物のうち、少なくとも一方の各個体の顔であることを特徴とする請求項１〜１２の何れか一項に記載の画像処理装置。
【請求項１４】
被写体を撮像する撮像手段を更に備え、
前記第１の取得手段は、
前記撮像手段により撮像された画像を取得することを特徴とする請求項１〜１３の何れか一項に記載の画像処理装置。
【請求項１５】
画像処理装置を用いた画像処理方法であって、
画像を取得するステップと、
取得された画像に含まれる特定の個体の情報と登録手段に登録されている当該特定の個体の前記識別用情報との類似度を取得するステップと、
取得された前記類似度とは異なる時系列に沿った複数の類似度を取得するステップと、
取得された前記複数の類似度の経時的変化に基づいて、前記類似度が、前記複数の類似度よりも相対的に低下したか否かを判定するステップと、
前記類似度が相対的に低下したと判定された場合に、前記登録手段に登録されている前記識別用情報を更新すべき旨を報知するステップと、
を含むことを特徴とする画像処理方法。
【請求項１６】
コンピュータを、
画像を取得する第１の取得手段、
前記第１の取得手段により取得された画像に含まれる特定の個体の情報と登録手段に登録されている当該特定の個体の前記識別用情報との類似度を取得する第２の取得手段、
前記２の取得手段により取得された類似度とは異なる時系列に沿った複数の類似度を取得する第３の取得手段、
前記第３の取得手段により取得された複数の類似度の経時的変化を特定する特定手段と、
前記特定手段により特定された経時的変化に基づいて、前記第２の取得手段により取得された類似度が、前記複数の類似度よりも相対的に低下したか否かを判定する判定手段、
前記判定手段により前記類似度が相対的に低下したと判定された場合に、前記登録手段に登録されている前記識別用情報を更新すべき旨を報知する報知手段、
として機能させることを特徴とするプログラム。